(57)【要約】【課題】  撮像装置としての機能を損なうことなく、無線通信を行うことが可能な撮像装置を提供することを目的とする。【解決手段】  鏡筒を沈胴位置と撮影位置とに移動させる移動手段と、外部装置と無線通信を行うための無線通信手段と、前記無線通信手段による無線通信処理に応じて、前記移動手段による鏡筒の移動を制御する制御手段と、を有することを特徴とする。【選択図】  図３
2014127916.tif 000002
【特許請求の範囲】
【請求項１】
鏡筒を沈胴位置と撮影位置とを含む移動範囲内で移動させる移動手段と、
外部装置と無線通信を行うための無線通信手段と、
前記無線通信手段による無線通信処理に応じて、前記移動手段による鏡筒の移動を制御する制御手段と、を有することを特徴とする撮像装置。
【請求項２】
前記無線通信手段により所定の無線通信処理を行う場合は、前記制御手段は、前記鏡筒の移動を規制することを特徴とする請求項１に記載の撮像装置。
【請求項３】
所定の無線通信処理を行う場合は、前記制御手段は、前記無線通信手段による前記所定の無線通信処理の前に、前記鏡筒を前記沈胴位置に移動させることを特徴とする請求項１または２に記載の撮像装置。
【請求項４】
前記所定の無線通信処理を行う場合に、前記制御手段は、前記移動手段による前記鏡筒の前記沈胴位置への移動が完了したことに応じて、前記無線通信手段による前記所定の無線通信処理を開始させるように制御することを特徴とする請求項３に記載の撮像装置。
【請求項５】
前記撮像装置のモードを設定するモード設定手段を有し、、
前記撮像装置のモードが撮影モードに設定されているときには、前記無線通信手段により所定の無線通信処理を行う場合に、前記制御手段は、前記鏡筒の移動を規制し、前記前記撮像装置のモードが再生モードに設定されているときには、前記所定の無線通信処理を行う場合に、前記制御手段は、前記無線通信手段による前記所定の無線通信処理の前に、前記鏡筒を前記沈胴位置に移動させることを特徴とする請求項１ないし４のいずれか１項に記載の撮像装置。
【請求項６】
前記撮像装置のモードを設定するモード設定手段と、
前記撮像装置のモードが再生モードに変更されてから設定時間が経過したことに応じて、前記移動手段により前記鏡筒を自動的に沈胴位置に移動させる移動制御手段と、を有し、
前記無線通信手段により所定の無線通信処理を行う場合は、前記設定時間が経過していなくても、前記制御手段は、前記移動手段により前記鏡筒の前記沈胴位置へ移動させることを特徴とする請求項１ないし５のいずれか１項に記載の撮像装置。
【請求項７】
前記撮像装置のモードが再生モードに変更されてから前記鏡筒が自動的に沈胴位置へ移動するまでの前記設定時間をユーザに設定させる時間設定手段を有することを特徴とする請求項６に記載の撮像装置。
【請求項８】
前記所定の無線通信処理とは、前記無線通信手段により外部装置から所定の情報を取得する処理であることを特徴とする請求項１ないし７のいずれか１項に記載の撮像装置。
【請求項９】
前記所定の情報とは、前記撮像装置の位置情報を算出するための軌道データであることを特徴とする請求項８に記載の撮像装置。
【請求項１０】
前記無線通信手段により外部装置からマックアドレスを取得している場合は、前記制御手段は、前記鏡筒の移動処理を禁止することを特徴とする請求項１に記載の撮像装置。
【請求項１１】
所定の条件を満たしたことに応じて、前記移動手段により前記鏡筒を自動的に沈胴位置に移動させる移動制御手段と、を有し、
前記無線通信手段により所定の無線通信処理を行う場合は、前記所定の条件を満たしていても、前記制御手段は、前記移動手段により前記鏡筒の前記沈胴位置へ移動させないことを特徴とする請求項１に記載の撮像装置。
【請求項１２】
所定の条件を満たしたことに応じて、前記移動手段により前記鏡筒を自動的に沈胴位置に移動させる移動制御手段と、を有し、
前記無線通信手段により所定の無線通信処理を行う場合は、前記所定の条件を満たしていなくても、前記制御手段は、前記移動手段により前記鏡筒の前記沈胴位置へ移動させることを特徴とする請求項１に記載の撮像装置。
【請求項１３】
鏡筒を沈胴位置と撮影位置とを含む移動範囲内で移動させる移動手段と、外部装置と無線通信を行うための無線通信手段とを有する撮像装置の制御方法であって、
前記無線通信手段による無線通信処理に応じて、前記移動手段による鏡筒の移動を制御する制御工程を有することを特徴とする撮像装置の制御方法。
【発明の詳細な説明】
【技術分野】
【０００１】
本発明は、外部機器との無線通信を実行可能な撮像装置に関する。
【背景技術】
【０００２】
デジタルカメラに無線ＬＡＮ等の無線通信機能を搭載し、撮影したデータを、無線通信を介して伝送する撮像装置がある。しかし、デジタルカメラ等の携帯機器では電源が限られた容量の電池であるため、電流容量に限りがある。この場合に、無線通信といった消費電力の大きな機能を付加すると消費電流の超過してしまい、動作不可能になってしまうという問題があった。
【０００３】
そこで、このような問題を解決するために、例えば消費電流のピーク値を下げるために、送信出力を設定できるようにし、設定した送信出力に応じてデジタルカメラの動作モードを変更したり、デジタルカメラに供給する電力量を制御したりする撮像装置が提案されている（特許文献１）。
【先行技術文献】
【特許文献】
【０００４】
【特許文献１】特開２００６−２７０５３７号公報
【発明の概要】
【発明が解決しようとする課題】
【０００５】
しかしながら、特許文献１では、無線通信を行ったときは撮像装置のカメラとしての動作が制限されることとなり、無線通信を行っているときは撮影することができず、撮像装置としての機能を果たさないといった問題があった。
【０００６】
本発明は上述した事情に鑑みてなされたもので、撮像装置としての機能を損なうことなく、無線通信を行うことが可能な撮像装置を提供することを目的とする。
【課題を解決するための手段】
【０００７】
上述の課題を解決するため、本発明の撮像装置は、鏡筒を沈胴位置と撮影位置とに移動させる移動手段と、外部装置と無線通信を行うための無線通信手段と、前記無線通信手段による無線通信処理に応じて、前記移動手段による鏡筒の移動を制御する制御手段と、を有することを特徴とする。
【発明の効果】
【０００８】
以上説明したように、本発明によれば、撮像装置としての機能を損なうことなく、無線通信を行うことが可能な撮像装置を提供することができる。
【図面の簡単な説明】
【０００９】
【図１】デジタルカメラ１００の構成を示すブロック図
【図２】ＭＡＣアドレス取得処理時の表示画面の一例
【図３】ＭＡＣアドレス取得処理時の無線通信処理と鏡筒の移動処理の排他処理を示すフローチャート
【図４】無線接続モード時の表示画面の一例
【図５】無線接続モード時の無線通信処理と鏡筒の移動処理の排他処理を示すフローチャート
【図６】アシストＧＰＳ時の表示画面の一例
【図７】撮影モードにおけるアシストＧＰＳ時の無線通信処理と鏡筒の移動処理の排他処理を示すフローチャート
【図８】再生モードにおけるアシストＧＰＳ時の無線通信処理と鏡筒の移動処理の排他処理を示すフローチャート
【発明を実施するための形態】
【００１０】
以下に、本発明を実施するための形態について、添付の図面を用いて詳細に説明する。
【００１１】
尚、以下に説明する実施の形態は、本発明の実現手段としての一例であり、本発明が適用される装置の構成や各種条件によって適宜修正又は変更されてもよい。
【００１２】
（第１の実施形態）
図１は、本実施形態の撮像装置の一例であるデジタルカメラ１００の構成例を示すブロック図である。なお、ここでは無線通信機能付撮像装置の一例としてデジタルカメラについて述べるが、無線通信機能付撮像装置はこれに限られない。例えば、カメラ付き携帯電話等の撮像装置であってもよい。また、デジタルカメラは撮影モードと再生モードを有し、これらのもードは、ユーザのモード設定操作により変更可能である。
【００１３】
制御部１０１は、入力された信号や、後述のプログラムに従ってデジタルカメラ１００の各部を制御する。なお、制御部１０１が装置全体を制御する代わりに、複数の制御部で処理を分担してデジタルカメラ１００全体を制御してもよい。
【００１４】
１０２は、画像を撮影するための撮影部である。撮影部１０２は、撮影光学系や撮影光学系の光軸方向に移動可動な鏡筒を具備しており、不図示の駆動源により鏡筒が所定の移動範囲内で移動可能な構成となっている。また、鏡筒の移動は、制御部１０１の制御により実行される。撮影モード時はユーザからのズーム操作や、ＡＦ（オートフォーカス）などの操作や撮影条件に応じて鏡筒が駆動され、所定の撮影位置の範囲内で移動する。再生モード時にはデジタルカメラ１００の筐体内に鏡筒が格納される収納位置（沈胴位置）に移動する。本実施形態のデジタルカメラは、撮影モードから再生モードに設定が切り替えられた場合に、鏡筒が収納位置に自動的に移動して沈胴状態となる。再生モードに変更されてから、鏡筒の沈胴処理が自動的に行われるまでの鏡筒収納時間をユーザが設定可能である。この鏡筒収納時間の時間設定は、操作部１０５や表示部１０６を用いてユーザが設定する。再生モードに変更されてから設定された鏡筒収納時間が経過すると、鏡筒の沈胴処理が開始され、収納位置に移動するように構成されている。
【００１５】
撮像部１０２で撮像された画像データはバッファメモリに蓄えられた後、制御部１０１にて所定の画像処理が施された後、記録媒体１０７に記録される。
【００１６】
不揮発性メモリ１０３は、電気的に消去・記録可能な不揮発性のメモリであり、制御部１０１で実行される後述のプログラム等が格納される。制御部１０１は、不揮発性メモリ１０３に格納されているプログラムに基づいて、各部を制御し、後述の処理を実現する。
【００１７】
作業用メモリ１０４は、撮像部１０２で撮像された画像データを一時的に保持するバッファメモリや、表示部１０６の画像表示用メモリ、制御部１０１の作業領域等として使用される。
【００１８】
操作部１０５は、ユーザがデジタルカメラ１００に対する指示をユーザから受け付けるために用いられる。操作部１０５は、ユーザがデジタルカメラ１００の電源のＯＮ／ＯＦＦを指示するための電源ボタンや、撮影を指示するためのレリーズスイッチ、再生も度―と撮影モードとを切り替えるためのモード設定ボタン、ズームレバー、無線通信設定ボタンなどの操作部材を含む。また、表示部１０６に形成されるタッチパネルも操作部１０５に含まれ、タッチパネルを用いて、ユーザからの指示を受け付けるように構成してもよい。
【００１９】
表示部１０６は、画像の表示や、対話的な操作のための文字表示などを行う。画像の表示としては、撮影モードにおけるスル―画像の表示、再生モードにおける記録媒体１０７に既に記録されている撮影した画像データの表示等がある。なお、表示部１０６は必ずしもデジタルカメラ１００が備える必要はない。デジタルカメラ１００は外部の表示部と接続することができ、外部の表示部の表示を制御する表示制御機能を有していても本発明は実現可能である。
【００２０】
記録媒体１０７は、撮像部１０２により撮像された画像データを記録することができる。記録媒体１０７は、デジタルカメラ１００に着脱可能なよう構成してもよいし、デジタルカメラ１００に内蔵されていてもよい。すなわち、デジタルカメラ１００は少なくとも記録媒体１０７にアクセスする手段を有していればよい。
【００２１】
無線通信部１１０は、外部装置と無線接続するための無線通信モジュールである。本実施形態では、無線通信部１１０は、外部装置と無線通信を行なうことができ、ＭＡＣアドレス（マックアドレス）情報を格納している。また、本実施形態のデジタルカメラ１００では、制御部１０１は、無線通信に関連する処理が発生した場合のみに無線通信部１１０を動作させるよう制御あしている。
【００２２】
次に、本実施形態のデジタルカメラ１００が無線通信を行う際の、無線通信部１１０による無線通信処理と撮像部１０２の鏡筒の移動処理の排他処理について説明する。
【００２３】
撮影動作の中でも、鏡筒を移動させる処理は、大きな電力を消費する。そのため、無線通信処理と鏡筒の移動処理が同時に行われると、電力量が超過し、動作不可能になってしまう可能性がある。そのため、本発明では、無線通信処理と鏡筒の移動処理について排他処理を行うように制御している。撮影動作全体の禁止や無線通信処理以外の処理全てを禁止するのではなく、特に電力の消費量が大きい鏡筒の移動処理と無線通信処理とを排他処理するので、デジタルカメラとしての機能を損なうことなく、無線通信を行うことが可能となる。
【００２４】
本実施形態では、デジタルカメラ１００にて無線通信処理と鏡筒の移動処理の排他処理を行うのは４つの場合がある。
【００２５】
第１の排他処理は、ＭＡＣアドレス情報取得時に行われる。
【００２６】
ＭＡＣアドレスは無線通信部１１０に格納されているので、ＭＡＣアドレスを取得するためには無線通信部１１０へのアクセスが必要である。再生モード時において、鏡筒の沈胴処理が自動的に開始される前は、鏡筒が撮影位置に出ている状態である。この場合、無線通信部１１０に格納されているＭＡＣアドレスにアクセスしている間に、鏡筒収納時間を経過すると鏡筒の沈胴処理が行われてしまうことになることになるので、無線通信処理と鏡筒の移動処理の排他処理を行っている。また、ＭＡＣアドレスの取得は、撮影モード時にも可能である。撮影モード時は、ズームレバーへの操作に応じて、ズーム処理が行われ、それにともない鏡筒が移動する。したがって、撮影モード時でもＭＡＣアドレスの取得中に鏡筒の移動処理が行われてしまう恐れがあるので、線通信処理と鏡筒の移動処理の排他処理を行う。
【００２７】
以下、ＭＡＣアドレス情報取得時の無線通信処理と鏡筒の移動処理の排他処理について図２及び図３を用いて説明する。
【００２８】
図２は、ＭＡＣアドレスを取得する際のデジタルカメラ１００の表示画面を示す図である。また図３は、デジタルカメラ１００でＭＡＣアドレスを取得する際のデジタルカメラ１００の動作を示すフローチャートである。
【００２９】
このフローチャートに示される各処理は、デジタルカメラ１００の制御部１０１が、不揮発性メモリ１０３に記録されているプログラムを実行し、プログラムに従いデジタルカメラ１００の各部を制御することにより実現される。
【００３０】
図３の処理は、図２のメニュー画面２００が表示された場合に実行される処理である。
【００３１】
ステップ３００では、制御部１０１は、操作部１０５に対して、通信モードに遷移する指示が入力されるかを監視する。つまり、ユーザが操作部１０５を操作することにより「無線ＬＡＮの設定」の項目が選択されたを監視する。通信モードに遷移する指示が入力された場合は、図２の２０１のような無線ＬＡＮ設定画面が表示部１０６に表示される。
【００３２】
ステップ３０１では、操作部１０５に対して、ＭＡＣアドレス取得の指示が行われたか、つまり、「ＭＡＣアドレスの確認」の項目が選択されたがを監視する。
【００３３】
ＭＡＣアドレス取得指示がおこなわれると、まず、ステップ３０２において、鏡筒の移動動作をホールドし、鏡筒を移動させる操作が行われた場合、鏡筒収納時間を経過し多場合であっても、鏡筒の移動が行われないようにする。
【００３４】
次に、ステップ３０３にて、ＭＡＣアドレス取得のために無線通信部１１０に電力を供給して起動させ、ステップ３０４にて無線通信部１１０内のＭＡＣアドレス情報を取得する。そして、取得した取得したＭＡＣアドレス情報を作業用メモリ１０４に表示用データとして格納する。ＭＡＣアドレスの取得が終わると、ステップ３０５にて無線通信部１１０の動作を終了させ、電源の供給を停止させる。
【００３５】
無線通信部１１０の終了を確認した後、ステップ３０６では、ステップ３０２で行った鏡筒動作のホールドを解除する。ステップ３０７にて、ステップ３０４にて作業用メモリ１０４に取得したＭＡＣアドレス情報を図２の２０２で示すように表示部１０６に表示する。
【００３６】
尚、ステップ３０６とステップ３０７は並列処理または処理を入れ替えることも可能である。
【００３７】
このような排他処理を行うことで、ＭＡＣアドレス取得のため、無線通信部１１０を起動している間は、鏡筒の移動処理が規制され、鏡筒の移動処理が行われなくなるため、消費電力を抑えることができる。
【００３８】
第２の排他処理は外部装置との無線接続モードで行われる。
【００３９】
無線接続モードは画像再生モード時に利用可能な機能である。無線接続モードでは、外部装置と無線接続し、デジタルカメラ１００に記録されているデータを送信することができる。この場合も、筐体内に鏡筒を格納する鏡筒収納時間が経過する前に、無線メニューへ移行すると、無線接続中に、鏡筒の沈胴処理が行われてしまうことになることになってしまう。そこで、無線接続モード時にも無線通信処理と鏡筒の移動処理の排他処理を行っている。
【００４０】
無線接続モード時の無線通信処理と鏡筒の移動処理の排他処理を、図４、図５を参照して説明する。
【００４１】
図４は、無線接続モード時のデジタルカメラ１００の表示画面を示す図である。また図５は、無線接続モード時のデジタルカメラ１００の動作を示すフローチャートである。
【００４２】
このフローチャートに示される各処理は、デジタルカメラ１００の制御部１０１が、不揮発性メモリ１０３に記録されているプログラムを実行し、プログラムに従いデジタルカメラ１００の各部を制御することにより実現される。
【００４３】
ステップ５０１では、制御部１０１は、表示部１０６に、図４の４０１に示ような無線接続モード開始操作を指示するためのアイコン含む表示画面おいて、図４の４０２の無線接続モードアイコンが選択されるか監視する。
【００４４】
図４の４０２のアイコンが選択されると、ステップ５０２で、鏡筒の状態を確認し、未収納で撮影位置にある場合は、ステップ５０３で鏡筒収納処理を行う。ステップ５０３では、撮影位置にある鏡筒を収納位置に移動させる鏡筒収納処理を実行する。
【００４５】
鏡筒収納処理が完了し鏡筒が収納状態であることが確認できたら、ステップ５０４に進み、無線接続処理を実行するために無線通信部１１０に電力を供給し、起動させる。そして、無線接続モードを開始するために図４の４０３の無線通信設定画面を表示ささせる。無線通信設定画面には、接続先を選択するためのアイコンが表示されており、ユーザにより選択された接続先に応じて、無線通信部１１０が無線接続処理を開始する。接続先の選択後に、無線通信部１１０を起動させ、無線通信処理を開始させてもよい。この無線接続モードにおいては、外部装置と無線接続し、デジタルカメラ１００の記録媒体１０７に記録されている撮影画像を、接続されている外部機器に送信することが可能となる。
【００４６】
ステップ５０６では、無線接続モード終了操作を指示する図４の４０４のアイコンが選択されるか監視する。
【００４７】
図４の４０４のアイコンが選択されると、ステップ５０７にて無線通信部１１０の処理を終了させ電力の供給を停止する。そして、再生モードの図４の４０１表示画面を表示させる。
【００４８】
このように、無線接続モード時には、鏡筒を沈胴位置に移動が完了して収納状態にしてから、無線通信部１１０を起動させて無線通信処理を開始する。そのため、鏡筒収納時間の経過したとしても、既に鏡筒は収納状態にあり、沈胴処理は行われなくなるので、無線通信処理と沈胴処理が同時に行われてしまい電力量が超過してしまうのを防ぐことができる。
【００４９】
第３の排他処理は撮影モードにおけるアシストＧＰＳ機能による軌道データ受信時である。
【００５０】
通常のＧＰＳでは人工衛星からの電波を受信して現在地の測位を行うが、アシストＧＰＳ機能ではネットワーク通信網を利用して観測可能範囲にいる衛星の軌道データを、ＧＰＳの位置情報算出のための補助情報（アシストデータ）として取得する。そのため、現在地の測位を行う際に、測位時間の短縮や室内の窓際などでの測位が可能となる。
【００５１】
本実施形態のデジタルカメラ１００は、撮影モードにおいても再生モードにおいても、アシストＧＰＳ機能をもちいて、軌道データの受信が可能である。撮影モード時は、鏡筒が撮影位置にあり、ユーザからのズーム操作等に応じて鏡筒が移動可能な状態で、軌道データの受信が発生しうる。そこで、撮影モード時にアシストＧＰＳ機能による軌道データ受信する際には、以下のように無線通信処理と鏡筒の移動処理の制御を行っている。
【００５２】
図６は、デジタルカメラ１００でアシストＧＰＳ機能を利用する際の表示画面を示している。図７は、デジタルカメラ１００で撮影モード時にアシストＧＰＳ機能を利用する際のデジタルカメラ１００の動作を示すフローチャートである。
【００５３】
このフローチャートに示される各処理は、デジタルカメラ１００の制御部１０１が、不揮発性メモリ１０３に記録されているプログラムを実行し、プログラムに従いデジタルカメラ１００の各部を制御することにより実現される。
【００５４】
図６の６０１の表示画面はＧＰＳ設定画面である。この画面において、ユーザによりアシストＧＰＳ機能のアシストデータ取得指示がおこなわれると図６の６０２のアシストデータ取得画面が表示される。実際には、ＧＰＳ設定画面において、アシスト機能を「入」に設定した状態で、「最新のデータを取得」が選択されると６０２のアシストデータ取得画面が表示される。
【００５５】
ステップ７０１では、制御部１０１は、アシストデータ取得画面６０２において、ＯＫアイコン６０３が選択され、アシストデータの更新の指示がおこなれたかを監視する。
【００５６】
ＯＫアイコン６０３が選択されると、表示部１０６に図６の６０４のようなアクセスポイント検索の画面を表示し、ステップ７０２で、鏡筒をホールドし、鏡筒の移動処理を規制して、鏡筒の移動を禁止する。そして、ステップ７０３でアクセスポイント接続のために、無線通信部１１０に電力を供給して起動させる。
【００５７】
無線通信部１１０の起動後、ステップ７０４でアクセスポイントとのネットワーク接続、その後、サーバー接続を行い、サーバから、アシストデータとして軌道データを取得する。次に、ステップ７０５で、作業用メモリ１０４に取得した軌道データを格納し、取得結果に関する情報を図６の６０８で示すように表示部１０６に表示する。
【００５８】
図６の６０８の表示画面において、ユーザの操作により６０９のＯＫアイコンが選択されると、アシストデータの取得モードが終了するため、ステップ７０６において、無線通信部１１０を終了させて電力の供給を停止する。無線通信部１１０の動作の終了を確認した後、ステップ７０７において、ステップ７０２で行った鏡筒のホールドを解除し、鏡筒を移動可能な状態にする。
【００５９】
上記説明においては、ＯＫアイコン６０９が選択されてから無線通信部１１０を終了させたが、軌道データの取得が完了したら、ＯＫアイコン６０９の選択を待たずに、無線通信部１１０の動作の終了させてもよい。
【００６０】
第４の排他処理は再生モードにおけるアシストＧＰＳ機能による軌道データ受信時である。
【００６１】
筐体内に鏡筒を格納する鏡筒収納時間が経過する前に、アシストＧＰＳ機能における軌道データ受信を行うと、無線接続中に、鏡筒の沈胴処理が行われてしまうことになることになってしまう。そこで、再生モードにおけるアシストＧＰＳ機能による軌道データ受信時も無線通信処理と鏡筒の移動処理の排他処理を行っている。
【００６２】
以下、再生モードにおけるアシストＧＰＳ機能による軌道データ受信時の無線通信処理と鏡筒の移動処理の排他処理について図６，図８を参照して説明する。
【００６３】
図８は、再生モード時にアシストＧＰＳ機能における軌道データ受信する際のデジタルカメラ１００の動作を示すフローチャートである。このフローチャートに示される各処理は、デジタルカメラ１００の制御部１０１が、不揮発性メモリ１０３に記録されているプログラムを実行し、プログラムに従いデジタルカメラ１００の各部を制御することにより実現される。
【００６４】
図６の６０１の表示画面はＧＰＳ設定画面である。この画面において、ユーザによりアシストＧＰＳ機能のアシストデータ取得指示がおこなわれると図６の６０２のアシストデータ取得画面が表示される。実際には、ＧＰＳ設定画面において、アシスト機能を「入」に設定した状態で、「最新のデータを取得」が選択されると６０２のアシストデータ取得画面が表示される。
【００６５】
ステップ８００では、制御部１０１は、アシストデータ取得画面６０２において、ＯＫアイコン６０３が選択され、アシストデータの更新の指示がおこなれたかを監視する。
【００６６】
ＯＫアイコン６０３が選択されると、表示部１０６に図６の６０４のようなアクセスポイント検索の画面を表示し、ステップ８０２で、鏡筒が収納位置へあるかを確認する。鏡筒が沈胴位置に収納されていない場合は、ステップ８０３で鏡筒を沈胴位置へ移動させて鏡筒を収納させる。
【００６７】
そして、ステップ８０４で無線通信部１１０に電力を供給して起動させる。
【００６８】
無線通信部１１０の起動後、ステップ８０５でアクセスポイントとのネットワーク接続、その後、サーバー接続を行い、サーバから、アシストデータとして軌道データを取得する。次に、ステップ８０６で、作業用メモリ１０４に取得した軌道データを格納し、取得結果に関する情報を図６の６０８で示すように表示部１０６に表示する。
【００６９】
図６の６０８の表示画面において、ユーザの操作により６０９のＯＫアイコンが選択されると、アシストデータの取得モードが終了するため、ステップ８０７において、無線通信部１１０を終了させて電力の供給を停止する。
【００７０】
上記説明においては、ＯＫアイコン６０９が選択されてから無線通信部１１０を終了させたが、軌道データの取得が完了したら、ＯＫアイコン６０９の選択を待たずに、無線通信部１１０の動作の終了させてもよい。
【００７１】
上述第３の排他処理及び第４の排他処理においては、アシストＧＰＳ機能における軌道データの取得時に、鏡筒の制御を行ったが、撮影モードと再生モードとで異なる鏡筒制御を行った。これは、撮影モードにおいては、軌道データ取得後には再び撮影画面に遷移し、撮影操作が行われるため、再生モード時のように鏡筒を収納位置に移動させてしまうと、撮影画面に遷移したときに再び鏡筒を撮影位置に移動させなければならない。そのため、撮影モード時は軌道データ取得時に、鏡筒を収納位置に移動させるよりも、鏡筒をホールドし、移動できないように制御したほうが望ましい。それに対し、再生モード時は、元々、鏡筒収納時間が経過した場合に、自動的に鏡筒が収納位置に移動することになっているので、鏡筒を収納位置に移動させたとしても問題ない。また、軌道データ取得時に鏡筒が未収納状態であっても、軌道データ取得中に鏡筒収納時間が経過することが考えられる。その場合、軌道データ取得中に撮影モード時のように鏡筒の移動処理の規制をし、それと同時に鏡筒収納時間を経過したかの管理を行うよりも、軌道データ取得前に、鏡筒を収納させたほうが管理が簡単となる。
【００７２】
また、上述の説明において、無線通信部１１０を起動させる際に電力の供給を行い、無線通信部１１０を終了させる際には、終了後に電力の供給を停止すると説明した。しかし、無線通信部１１０の終了時に、完全に無線通信部１１０への電力の供給を停止させる必要はなく、一部の機能のみを利用可能なスリープ状態とし、少量の電力のみを供給するように切り替えるようにしてもよい。
【００７３】
また、上述の説明では、無線通信処理と鏡筒の移動処理の排他処理のために行う鏡筒の移動処理の制御として、鏡筒を無線通信を開始させる前に収納位置へ移動させる処理と、鏡筒の移動を規制する処理について説明した。どちらの処理を適応するかについては、第３の排他処理と第４の排他処理のように、撮影モードであるか再生モードであるかに応じて設定するだけでなく、他の方法も考えられる。
【００７４】
例えば第２の排他処理の無線接続モードのように、画像データ等の比較的大きいデータを無線通信により送受信する際には、送受信に時間がかかるため、鏡筒を収納位置に移動させるとよい。それに対し、第１の排他処理のように、ＭＡＣアドレスのような予め決められた比較的小さなデータを取得するのみであれば、データの取得に時間がかからず、鏡筒の収納位置への移動のほうが時間がかかってしまうことが考えられる。そのため、収納位置に移動せずに、鏡筒の移動の規制のみを行うようにするとよい。
【００７５】
また、デジタルカメラ１００には、再生モード中に、シャッターボタン（不図示）を操作することに応じて、撮影モードへの切り換えおよび鏡筒の撮影位置への移動を行うという機能を有している。しかし、無線通信処理を行っている場合は、シャッターボタンを操作しても、撮影モードへの切り換えおよび鏡筒の撮影位置への移動は行わないようにする。または、シャッターボタンを操作したときに、撮影モードへの切り換えは実行したとしても、無線通信処理が終了されるまでは、鏡筒の撮影位置への移動は行わないようにしてもよい。
【００７６】
（その他の実施形態）
以上、本発明をその好適な実施形態に基づいて詳述してきたが、本発明はこれら特定の実施形態に限られるものではなく、この発明の要旨を逸脱しない範囲の様々な形態も本発明に含まれる。上述の実施形態の一部を適宜組み合わせてもよい。
【００７７】
また、上述の実施形態の機能を実現するソフトウェアのプログラムを、記録媒体から直接、或いは有線／無線通信を用いてプログラムを実行可能なコンピュータを有するシステム又は装置に供給し、そのプログラムを実行する場合も本発明に含む。
【００７８】
従って、本発明の機能処理をコンピュータで実現するために、該コンピュータに供給、インストールされるプログラムコード自体も本発明を実現するものである。つまり、本発明の機能処理を実現するためのコンピュータプログラム自体も本発明に含まれる。
【００７９】
その場合、プログラムの機能を有していれば、オブジェクトコード、インタプリタにより実行されるプログラム、ＯＳに供給するスクリプトデータ等、プログラムの形態を問わない。
【００８０】
プログラムを供給するための記録媒体としては、例えば、ハードディスク、磁気テープ等の磁気記録媒体、光／光磁気記憶媒体、不揮発性の半導体メモリでもよい。
【００８１】
また、プログラムの供給方法としては、コンピュータネットワーク上のサーバに本発明を形成するコンピュータプログラムを記憶し、接続のあったクライアントコンピュータがコンピュータプログラムをダウンロードしてプログラムするような方法も考えられる。
【図１】
2014127916.tif 000003
【図２】
2014127916.tif 000004
【図３】
2014127916.tif 000005
【図４】
2014127916.tif 000006
【図５】
2014127916.tif 000007
【図６】
2014127916.tif 000008
【図７】
2014127916.tif 000009
【図８】
2014127916.tif 000010